【事件の表示】
　特許第３０５３４６７号「オフセット枚葉印刷機」の請求項１に係る特許に対する特許異議の申立てについて、次のとおり決定する。
【結　論】
　訂正を認める。
　特許第３０５３４６７号の請求項１に係る特許を維持する。
【理　由】
１．手続の経緯
　特許第３０５３４６７号の請求項１に係る発明は、平成３年７月２３日に特許出願され、平成１２年４月７日にその特許権の設定登録がされ、その後異議申立人藤山和宏により特許異議の申立がなされ、取消の理由が通知され、その指定期間内である平成１３年７月６日に訂正請求がされた後、訂正拒絶理由が通知され、平成１３年１０月１１日に手続補正書が提出されたものである。
　
２．訂正の適否についての判断
（１）訂正請求に対する補正の適否について
　特許権者は、訂正請求書第３頁第２行〜第９行記載の訂正事項４を削除し、第３頁第１０行〜第１４行記載の訂正事項５を訂正事項４に繰り上げる補正をするものであり、当該訂正請求に対する補正は、訂正請求書の要旨を変更するものでなく、特許法第１２０条の４第３項において準用する同法第１３１条第２項の規定に適合するので、採用する。
　
（２）訂正の内容
ａ．訂正事項１
　特許請求の範囲の請求項１の記載について、
　「各種自動化装置と、各種自動化装置を制御するコントローラとを備えたオフセット枚葉印刷機において、コントローラは、印刷機の定常運転状態に応じた制御メニューと印刷機の切替状態に応じた制御メニューの制御内容設定画面を選択表示するモニタ部を有し、モニタ部に表示される各制御メニューの制御内容設定画面上から選択された各種自動化装置の選択結果を制御内容として設定する制御内容設定部を有し、各制御メニューで選択された所望の各種自動化装置を定常運転状態時又は切替状態時にそれぞれシーケンシャル制御することを特徴とするオフセット枚葉印刷機。」とあるのを、「各種自動化装置と、各種自動化装置を制御するコントローラとを備えたオフセット枚葉印刷機において、コントローラは、印刷機の定常運転状態に応じた制御メニューと印刷機の切替状態に応じた制御メニューの制御内容設定画面を選択表示すると共に切替時の制御内容設定画面では各装置の作動状況及び作動時間を表示するモニタ部を有し、モニタ部に表示される各制御メニューの制御内容設定画面上から選択された各種自動化装置の選択結果を制御内容として設定する制御内容設定部を有し、各制御メニューで選択された所望の各種自動化装置を定常運転状態時又は切替状態時にそれぞれシーケンシャル制御することを特徴とするオフセット枚葉印刷機。」と訂正する。
ｂ．訂正事項２
　明細書の段落【０００５】の記載について、「【課題を解決するための手段】本発明は、各種自動化装置と、各種自動化装置を制御するコントローラとを備えたオフセット枚葉印刷機において、コントローラ（２１）は、印刷機の定常運転状態に応じた制御メニューと印刷機の切替状態に応じた制御メニューの制御内容設定画面を選択表示するモニタ部（４６）を有し、モニタ部（４６）に表示される各制御メニューの制御内容設定画面上から選択された各種自動化装置の選択結果を制御内容として設定する制御内容設定部（４２）を有し、各制御メニューで選択された所望の各種自動化装置を定常運転状態時又は切替状態時にそれぞれシーケンシャル制御するオフセット枚葉印刷機を採用する。」とあるのを、「【課題を解決するための手段】本発明は、各種自動化装置と、各種自動化装置を制御するコントローラとを備えたオフセット枚葉印刷機において、コントローラ（２１）は、印刷機の定常運転状態に応じた制御メニューと印刷機の切替状態に応じた制御メニューの制御内容設定画面を選択表示すると共に切替時の制御内容設定画面では各装置の作動状況及び作動時間を表示するモニタ部（４６）を有し、モニタ部（４６）に表示される各制御メニューの制御内容設定画面上から選択された各種自動化装置の選択結果を制御内容として設定する制御内容設定部（４２）を有し、各制御メニューで選択された所望の各種自動化装置を定常運転状態時又は切替状態時にそれぞれシーケンシャル制御するオフセット枚葉印刷機を採用する。」と訂正する。
ｃ．訂正事項３
　明細書の段落【００４４】の記載について、「【発明の効果】本発明によれば、各種自動化装置と、各種自動化装置を制御するコントローラとを備えたオフセット枚葉印刷機において、コントローラは、印刷機の定常運転状態に応じた制御メニューと印刷機の切替状態に応じた制御メニューの制御内容設定画面を選択表示するモニタ部を有し、モニタ部に表示される各制御メニューの制御内容設定画面上から選択された各種自動化装置の選択結果を制御内容として設定する制御内容設定部を有し、各制御メニューで選択された所望の各種自動化装置を定常運転状態時又は切替状態時にそれぞれシーケンシャル制御することから、各自動化機器の操作盤間をオペレータが走りまわる必要が無くなり省力化が図れるのは勿論のこと、印刷機が定常運転状態にあるか切替状態にあるかに応じて自動化機器を作動させることができ、印刷効率を高めることができる。」とあるのを、「【発明の効果】本発明によれば、各種自動化装置と、各種自動化装置を制御するコントローラとを備えたオフセット枚葉印刷機において、コントローラは、印刷機の定常運転状態に応じた制御メニューと印刷機の切替状態に応じた制御メニューの制御内容設定画面を選択表示すると共に切替時の制御内容設定画面では各装置の作動状況及び作動時間を表示するモニタ部を有し、モニタ部に表示される各制御メニューの制御内容設定画面上から選択された各種自動化装置の選択結果を制御内容として設定する制御内容設定部を有し、各制御メニューで選択された所望の各種自動化装置を定常運転状態時又は切替状態時にそれぞれシーケンシャル制御することから、各自動化機器の操作盤間をオペレータが走りまわる必要が無くなり省力化が図れるのは勿論のこと、印刷機が定常運転状態にあるか切替状態にあるかに応じて自動化機器を作動させることができ、印刷効率を高めることができる。」と訂正する。
ｄ．訂正事項４
　明細書の段落【００４１】の記載について、「切替時の制御状況のモニタ表示内容は、図８において、各装置作動中にはＣＲＴ画面上に棒グラフ６０が示され時間の経過とともに伸びていく、これによりオペレータは各装置の動作時間を一目で知ることができるばかりでなく、装置異常の際には棒グラフ７０は異常色（例えば赤）を示しオペレータに知らせる事もできる。また同様に動作終了、異常発生等により動作未完了の場合も棒グラフの色を替える等してオペレータに装置作動状況の詳細を知らせる事もできるようになっている。自動運転中の印刷機の状態及びコントローラの制御状況は図２１に示すように表示される。このＣＲＴ上の画面は図８あるいは図１０中のファンクションキー３２の自動運転モニタキー（３２Ｃ）を押すと常時ＣＲＴ画面上に表示される。」とあるのを、「切替時の制御状況のモニタ表示内容は、図８において、各装置作動中にはＣＲＴ画面上に棒グラフ７０が示され時間の経過とともに伸びていく。これによりオペレータは各装置の動作時間を一目で知ることができるばかりでなく、装置異常の際には棒グラフ７０は異常色（例えば赤）を示しオペレータに知らせる事もできる。また同様に動作終了、異常発生等により動作未完了の場合も棒グラフの色を替える等してオペレータに装置作動状況の詳細を知らせる事もできるようになっている。自動運転中の印刷機の状態及びコントローラの制御状況は図２１に示すように表示される。このＣＲＴ上の画面は図８あるいは図１０中のファンクションキー３２の自動運転モニタキー（３２Ｃ）を押すと常時ＣＲＴ画面上に表示される。」と訂正する。
　
（３）訂正の適否、新規事項の有無、及び特許請求の範囲の拡張・変更の存否
　上記訂正事項１に関連する記載として、願書に添付した明細書には、「切替時の制御状況のモニタ表示内容は、図８において、各装置作動中にはＣＲＴ画面上に棒グラフ６０が示され時間の経過とともに伸びていく、これによりオペレータは各装置の動作時間を一目で知ることができるばかりでなく、装置異常の際には棒グラフ７０は異常色（例えば赤）を示しオペレータに知らせる事もできる。また同様に動作終了、異常発生等により動作未完了の場合も棒グラフの色を替える等してオペレータに装置作動状況の詳細を知らせる事もできるようになっている。自動運転中の印刷機の状態及びコントローラの制御状況は図２１に示すように表示される。このＣＲＴ上の画面は図８あるいは図１０中のファンクションキー３２の自動運転モニタキー（３２Ｃ）を押すと常時ＣＲＴ画面上に表示される。」（段落【００４１】）と記載されている。
　そうすると、上記訂正事項１は、願書に添付した明細書に記載された事項の範囲内において、「印刷機の定常運転状態に応じた制御メニューと印刷機の切替状態に応じた制御メニューの制御内容設定画面を選択表示するモニタ部を有し、」とあるのを、「印刷機の定常運転状態に応じた制御メニューと印刷機の切替状態に応じた制御メニューの制御内容設定画面を選択表示すると共に切替時の制御内容設定画面では各装置の作動状況及び作動時間を表示するモニタ部を有し、」に技術的に限定したものであるから、特許請求の範囲の減縮を目的とした明細書の訂正に該当する。
　また、上記訂正事項２，３は、上記訂正事項１と整合を図るもので、明りょうでない記載の釈明を目的とした明細書の訂正に該当する。
　上記訂正事項４に関連する記載として、図８では、符号６０がカーソルを指し、符号７０が棒グラフを指すことが明らかであり、また、訂正事項４に係る段落【００４１】中にも、「装置異常の際には棒グラフ７０」と記載されている。すなわち、「棒グラフ６０が示され」は、「棒グラフ７０が示され」の誤記であることは明らかである。そして、「経過とともに伸びていく、これにより」という記載は、日本語の文法を考えると、読点（、）は句点（。）の誤記であることは明らかである。
　そうすると、上記訂正事項４は、誤記の訂正を目的とした明細書の訂正に該当する。
　よって、いずれも新規事項の追加に該当せず、実質的に特許請求の範囲を拡張または変更するものではない。
　
（４）むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項、第３項の規定に適合するので、当該訂正を認める。
　
３．特許異議申立についての判断
（１）申立の理由の概要
　異議申立人藤山和宏は、本件特許に対して、証拠として甲第１号証（特開昭６４−５８４７号公報）、甲第２号証（特開平３−７６６５１号公報）、甲第３号証（特開昭６２−２６７１３９号公報）、甲第４号証（英国特許出願公開第２２３３６０３号明細書（１９９１年１月１６日公開））、甲第５号証（実願昭６２−７８０８９号（実開昭６３−１９２０３１号）のマイクロフィルム）を提出し、本件請求項１に係る発明は、甲第１号証乃至甲第５号証に記載された発明から容易に発明することができたものであるから、特許法第２９条第２項の規定により特許を受けることができないものであると主張している。
　
（２）本件発明
　上記２．で示したように上記訂正が認められるから、特許第３０５３４６７号の請求項１に係る発明（以下、「本件発明」という。）は、上記訂正に係る訂正明細書の特許請求の範囲の請求項１に記載された以下のとおりのものである。
　請求項１「各種自動化装置と、各種自動化装置を制御するコントローラとを備えたオフセット枚葉印刷機において、コントローラは、印刷機の定常運転状態に応じた制御メニューと印刷機の切替状態に応じた制御メニューの制御内容設定画面を選択表示すると共に切替時の制御内容設定画面では各装置の作動状況及び作動時間を表示するモニタ部を有し、モニタ部に表示される各制御メニューの制御内容設定画面上から選択された各種自動化装置の選択結果を制御内容として設定する制御内容設定部を有し、各制御メニューで選択された所望の各種自動化装置を定常運転状態時又は切替状態時にそれぞれシーケンシャル制御することを特徴とするオフセット枚葉印刷機。」
　
（３）引用刊行物等
（３−１）刊行物の記載事項
　刊行物１乃至５（異議申立人が提出した甲第１号証乃至甲第５号証）には、以下のような事項等が記載されている。
ア．刊行物１
ａ．「第１図に、例えば機械の制御盤に設けられた操作装置および表示装置が示されている。表示装置としてディスプレイ１が設けられ、操作要素がグループで設けられ、第１のグループの操作要素２がディスプレイ１の上に設けられ、第２のグループの操作要素３がディスプレイ１の側方に設けられ、第３のグループの操作要素４がディスプレイ１の下方に設けられている。操作要素２のグループによって、種々の主グループＡ、Ｂ、Ｃに対応する番号６，７，８または機械全体５を選択することができる。操作要素３によって、選択されたそれぞれの主グループの種々の要素を選択することができるが、操作要素４によっては、選択された要素の制御、例えば開路および閉路を行うか、または選択された要素の種々の機能を制御することができる。」（第４頁左下欄第７行〜右下欄第２行）
ｂ．「先ず、操作要素２において、変化を行わせる必要のある主グループが選択される。これは例えば操作要素７の操作によって行われる。・・・操作要素７の操作によって、操作要素３が、選択された主グループの所定の要素をディスプレイ１上に割り当てられ、したがって、キー１０によって、選択された主グループの要素Ｘを選択することができ、キー１１によって要素Ｙを選択することができ、キー１２によって要素Ｚを選択することができる。・・・キー１１の操作によって要素Ｙを選択することによって、この要素がディスプレイ１上に図式表示１５として現れる。同時に、この図式表示は、電動機、サーモ要素など（Ｉ，II，III，IV）が、いわゆる制御ユニットとして図式表示される。同時に操作要素４に対応するディスプレイ１の位置における対応する記号が発光することによって、操作要素４にこれらの制御ユニット（Ｉ，II，III，IV）が割り当てられる。この状態では、操作要素４，例えばキー２０によって制御ユニット１８（IV）を閉路することができる。この閉路された操作状態は、制御ユニット１８（IV）が発光することによって表示される。同様に、いずれの制御ユニットがすでに閉路されたかが表示されるが、これは同様に、表示された制御ユニット、例えば制御ユニット１９（Ｉ）が発光することによって行われる。さらに、プラスマイナスキーとして構成されたキー９によって、制御ユニットの値を調整することができる。図示の実施例において、キー９および機能キー２３の上に表示された制御ユニット１９（Ｉ）を調整または調節することができる。調整値の大きさは、図式表示では数値表示器２４によって目に見えるようにされ、例えば、この数値表示器２４は電動機を含む制御ユニットＩの回転数を示し、その場合、表示された回転数の値は最大回転数または定格回転数との割合で示される。それぞれの機能キー２０ないし２３にキー９を設けることができることは勿論である。」（第４頁右下欄第１４行〜第５頁右上欄第１５行）
ｃ．「第２図に枚葉紙印刷機を制御する操作盤および表示盤が示されており、次に詳細に説明する。この場合も操作要素２，３，４のグループ、およびディスプレイ１およびキー９，９がある。さらに、この装置は、数を入力する入力パネル２５，機械停止用のキー２６，非常停止キー２７，キー２８、２９およびキー操作スイッチ５５の２つの別のグループを示している。キーグループ２８は印刷機の個々の印刷ユニットの選択に使用され、それぞれ印刷色または個々の印刷ユニットの他の記号が付けられている。キーグループ２９は、予選択キー３０・・・を包含している。予選択キー３０によって所定の機能入力を予選択だけすることができ、その場合、この予選択された機能は、機械の起動時または所定の運転状態において始めて始動される。」（第５頁右上欄第２０行〜左下欄第１６行）
ｄ．「予選択キー３０が操作された場合、実施された機能が制御盤の記憶装置に中間記憶され、所定の基準を満たした後、始めて印刷機に伝送される。」（第６頁右上欄第９行〜第１２行）
ｅ．「第４図に枚葉紙印刷機の排紙装置を制御する実施例が示されている。排紙装置における機能を操作するには、先ず操作要素２においてキー３７を操作することが必要である。それによって操作要素３の最上部のキーに数字１が割り当てられ、これは、排紙装置が単に１つのグループの要素を包含することを意味している。このグループの要素が図示表示１５に表示される。・・・予選択キー３０の操作によって、操作要素４の機能キーのうちの１つを次に操作することによって、先ず記憶されることが決定される。操作要素４によって制御ユニットのうちの１つを閉路または開路することができる。制御ユニットの閉路は、図式表示１５における対応する制御ユニットの発光によって知らされる。さらに、キー９によって吸込みローラ４１の回転数調整を行うことができる。設定された回転数は、グラフ表示４６および付加的な数値表示４７によって表示される。第５図は、枚葉紙印刷機における紙送りを表示する実施例を示している。この場合、機械全体のキー３６を選択することによって、ディスプレイ１に表示されたシンボル・・・による操作要素３の割当が行われる。実際値キー３１および次に紙送り４８に対応するキー５２を操作することによって、紙送りに必要なデータがディスプレイ１上に文字数字併用表示で表示される。・・・操作要素４・・・によって、所定の制御ユニットを閉路または開路することができ、さらにキー９によって印刷物カウンタを始動し、キー９によって機械速度を設定することができる。第６図において、枚葉紙印刷機のすべての印刷ユニットの表示装置が一例として示されている。操作要素２のキー３７を操作することによって、操作要素３がディスプレイ１における数字１ないし７の表示によって印刷ユニット１ないし７に割当られる。この状態において、予選択キー３０・・・を操作することができる。全体の印刷ユニットを表示するため、次に合計キー５２が操作された場合、ディスプレイ１に個々の印刷ユニットの全体の制御ユニットが表示され、その場合、印刷ユニット２ないし６の制御ユニットを発光させることによって、これらが閉路されたことが表示される。操作要素４の機能キーのうちの１つを操作することによって、この合計表示の場合、この機能キーに割当てられた全体の制御ユニットが閉路される。キー９によって、図式に文字数字併用方式で示された湿し装置すなわち湿しローラの回転数調整を変えることができる。また、この場合、全体の印刷ユニットに対する変更が同時に均一に行われる。」（第６頁右上欄第１３行〜第７頁左上欄第１３行）
イ．刊行物２
ｆ．「制御装置４０は、予め与えられた設定値に基づいて所定シーケンスで印刷機１０の各部の動作を一括制御して自動運転を行わせる」（第４頁左上欄第１行〜第３行）
ｇ．「オペレータは印刷機１０および全体を起動する。起動に伴って、異常診断部３０により印刷機１０の各部の検査が行われ、異常が発見された場合、表示装置５０に第三画像３００が表示され、当該異常表示が行われる。オペレータが表示に従って対処することにより異常が解消されると、印刷機１０は本来の運転可能な状態となる。次に、オペレータは制御装置４０に対し、印刷機１０の運転に必要な設定を行う。この際、オペレータは、表示装置５０に第一画像１００を表示させ、印刷速度や枚数の設定を確認しながら操作部４１から入力を行う。また、第二画像２００を表示させ、印刷見当の修正操作を行う。設定が済んだら、オペレータは印刷機１０の運転を開始する。運転の経過に伴って、検出部２０からの現時点の実績データが順次表示装置５０に送られ、第一画像１００および第二画像２００が順次書き換えられ、各々は常に現在の状況を表すものとされる。通常、オペレータは表示装置５０に第一画像１００を表示させておき、印刷状況を監視する。印刷見当の確認を行う際には、操作部４１からの操作により表示を切換えて第二画像２００を選択し、表示内容を確認する。一方、異常が発生した場合、当該異常が書き込まれた第三画像３００が自動的に切換えられ、オペレータは第三画像３００の表示に従って必要な対応をとり、以下同様に作業が続行される。」（第６頁左下欄第３行〜右下欄第９行）
ウ．刊行物３
ｈ．「データ処理／制御装置によって、すべてのセンサの信号が総括的に処理され、調節信号も総括的にコーディネートされることにある。・・・さらに、印刷機のすべてのデータが集中的に操作／呼出しされうる。さらにまた、従来は保護のための制御によって行われていて公知のように相互リンクの度合が小さい印刷機制御の全体が、今や、度合の大きい相互リンクによって種々の運転条件下での印刷過程の最適化を可能にするような総括的制御によって行われることとなる。」（第３頁左上欄第２０行〜右上欄第１９行）
ｉ．「例えば、得られているインキプロフィル、紙葉厚さ、印刷部数および印刷機予調整データのような、運転準備での設定項目を外部にある入力ユニットから入力するために、外部接続用のデータ線をデータ処理／制御装置に接続することとしている。」（第４頁右上欄第１６行〜左下欄第２行）
ｊ．「例えばある運転準備場所からの情報を印刷機に供給できるようなデータ線（外部接続用）２０が設けられている。このデータ線２０を経て、例えば、印刷機の予調整のために調節部材に与えるすべての設定値が送られうる。」（第５頁左下欄第１０行〜第１５行）
エ．刊行物４
ｋ．「After  the  completion  of  the  printing  of  a  master,  the 
following work stages are required, in order to convert the printing
machine for the printing of the next master:  A Ejection of sheet   B 
Washing of the rubber blanket  C Drying of the rubber blanket  D 
Insertion of the sheet  E Etching of the sheet  F Moistening of the 
sheet  G Inking of the sheet and  H Inking of the rubber blanket.・・
・work stage E can be switched on or off by the machine operator. 
Figures 2 and 3 show the sequence of the individual work stages 
according to the known procedure, and according to the process 
featured by the invention for a conversion without etching (a and 
b) and with etching (c and d) of the sheet respectively.」（訳：刷版の印刷の完了後、次の刷版の印刷のために印刷機を転換するために、以下の作業段階が必要となる。Ａ　刷版の排出　Ｂ　ゴムブランケットの洗浄　Ｃ　ゴムブランケットの乾燥　Ｄ　刷版の挿入　Ｅ　刷版のエッチング　Ｆ　刷版の加湿　Ｇ　刷版のインキング　Ｈ　ゴムブランケットのインキング・・・作業段階Ｅは印刷機オペレータによって、オンまたはオフに切り換えることができる。第２図および第３図は、それぞれエッチングなし（ａ、ｂ）、および刷版のエッチング付き（ｃ、ｄ）の転換のための、既知の手順に従う、および本発明のプロセス特徴に従う個々の作業段階の順序を示している。）（第４頁第８行〜第６頁第５行）
ｌ．「the sheet is fed・・・is inserted・・・the process duration is
optimised using the process values given, in a program part 38.・・
・Since, according to the procedure featured in the invention, 
different work stages take place in parallel,・・・Specifically, 
work stage A (sheet ejection) is executed at 40,・・・at 43, the 
new sheet is inserted (work stage D).・・・After the sheet is 
inserted at 43, the next sheet is fed in at 45, and thus placed 
ready for the subsequent insertion.・・・the sheet is etched, pre-
moistened and inked in program parts 46 to 51. Parallel to the 
program parts 40 to 51, the rubber blanket is washed at 52,・・・
and the drying of the rubber blanket is executed or completed in 
program parts 44 and 55. As a result of the program optimisation at 
is completed at 50, work stages 52 to 55 on the rubber cylinder are 
also completed, so that the program is continued at 32 with the 
inking of the rubber cylinder, as already described.」（訳：刷版が供給される。・・・挿入されるようになる。・・・刷版のエッチングが実施される。・・・刷版のインキングが実施される。・・・ゴムブランケットのインキングがトリガーされる。ゴムブランケットのインキングが完了した場合、・・・印刷手順が３４で行われ、・・・印刷機が自動印刷運転にセットされている場合には、次に３７において本発明のプロセス特徴に従う最適化された操作を繰返すようにスタートする。この目的のために、プログラム部分３８において、所定のプロセス値を使ってプロセス継続時間が最適化される。・・・その後、本発明の手順特徴に従って、異なった作業段階が並列で処理され、・・・特に、作業段階Ａ（刷版排出）は４０で実施され、・・・４３で新しい刷版が挿入される（作業段階Ｄ）。・・・４３で刷版を挿入した後、４５で次の刷版が供給され、このように、次の挿入のための準備が設置される。・・・刷版は、プログラム部分４６から５１において、エッチングされ、事前加湿されて、インキングされる。プログラム部分４０から５１と並列に、ゴムブランケットが５２で洗浄され、・・・プログラム部分４４と５５において、ゴムブランケットの乾燥が実施され、または完了する。３７と３８でのプログラム最適化の結果として、作業段階「刷版のインキング」が５０で完了するとき、ゴム胴についての作業段階５２から５５もまた完了し、その結果、既に述べたように、プログラムがゴム胴のインキングと一緒に３２で継続する。）（第９頁第１６行〜第１２頁第２０行）
ｍ．「A method according to claim 4, wherein the timing of the work 
stages on the plate cylinder and rubber blanket cylinder is 
controlled in such a manner that the drying of the rubber blanket
 is completed at substantially the same time as the inking of the 
print forme.」（訳：前記において、ゴムブランケットの乾燥が刷版のインキングと実質的に同時に完了するような方法で、版胴およびゴムブランケット胴についての作業段階のタイミングが制御されることを特徴とする請求項４に記載の方法。）（第１６頁第１行〜第６行）
オ．刊行物５
ｎ．「特に、付加印刷胴部に係る各作動機構部への作動信号を発する付加印刷胴部作動指令部及び付加印刷胴の当接完了検出部が別設されており、輪転印刷機運転各段階における各作動機構部の動作をシーケンス制御するのである。・・・付加印刷胴付輪転印刷機において、各作動機構部は、運転自動制御装置の作動指令部からの作動信号で作動され、シーケンス制御されるのであるが、付加印刷胴部に係る各作動機構部は、別設された付加印刷胴部作動指令部からの作動信号により作動制御される。」（第４頁第５行〜第１６行）
（３−２）対比・判断
　まず、上記記載ａ〜ｅを含む明細書及び図面によると、刊行物１には、下記の発明が記載されている。
　「各種制御ユニットと、各種制御ユニットを制御することができる枚葉紙印刷機において、操作要素２、３を操作することにより、排紙装置の制御、紙送りに関する制御、全体の印刷ユニットの制御のいずれかの制御をするための要素が制御ユニットとして図式表示されるディスプレイ１を有し、操作要素４を操作することにより、表示された制御ユニットの閉路または開路をし、キー９によって制御ユニットの値を調整することで回転数や速度を調整し、予選択キー３０が操作された場合、制御ユニットを機械の起動時または所定の運転状態において始めて始動されるように予選択する枚葉紙印刷機。」（以下、「刊行物１発明」という。）
　本件発明と、刊行物１発明とを対比する。
　刊行物１発明の、「枚葉紙印刷機」、及び「各種制御ユニット」は、それぞれの機能に照らし、それぞれ、本件発明の「オフセット枚葉印刷機」、及び「各種自動化装置」に相当する。
　刊行物１発明においても、制御ユニットを制御するものであるから、本件発明の「コントローラ」に相当する構成を有することは当然である。
　刊行物１発明は、操作要素２，３を操作することにより、排紙装置の制御、紙送りに関する制御、全体の印刷ユニットの制御のいずれかの制御をするための要素が制御ユニットとして図式表示されるディスプレイ１を有し、操作要素４を操作することにより、表示された制御ユニットの閉路または開路をし、キー９によって制御ユニットの値を調整することで回転数や速度を調整するものである。すなわち、刊行物１発明の「ディスプレイ１」は、排紙装置の制御、紙送りに関する制御、全体の印刷ユニットの制御といった異なった制御メニューの制御内容を設定する画面を選択表示するものである。よって、刊行物１発明の「排紙装置の制御、紙送りに関する制御、全体の印刷ユニットの制御のいずれかの制御をするための要素が制御ユニットとして図式表示されるディスプレイ１」と、本件発明における「印刷機の定常運転状態に応じた制御メニューと印刷機の切替状態に応じた制御メニューの制御内容設定画面を選択表示すると共に切替時の制御内容設定画面では各装置の作動状況及び作動時間を表示するモニタ部」とは、「異なった制御メニューの制御内容設定画面を選択表示するモニタ部」という点で、共通する。
　そして、刊行物１発明においては、予選択キーが操作された場合、制御ユニットを機械の起動時または所定の運転状態において始めて始動されるようにすることから、本件発明の「モニタ部に表示される各制御メニューの制御内容設定画面上から選択された各種自動化装置の選択結果を制御内容として設定する制御内容設定部」に相当する構成を有し、「各制御メニューで選択された所望の各種自動化装置を定常運転状態時又は切替状態時にそれぞれシーケンシャル制御する」こととは、「各制御メニューで選択された所望の各種自動化装置を制御する」という点で、共通する。
　
　してみると、本件発明と刊行物１発明とは、
「各種自動化装置と、各種自動化装置を制御するコントローラとを備えたオフセット枚葉印刷機において、コントローラは、異なった制御メニューの制御内容設定画面を選択表示するモニタ部を有し、モニタ部に表示される各制御メニューの制御内容設定画面上から選択された各種自動化装置の選択結果を制御内容として設定する制御内容設定部を有し、各制御メニューで選択された所望の各種自動化装置を制御することを特徴とするオフセット枚葉印刷機。」である点で一致し、次の点で相違する。
　
［相違点］
ア．本件発明のモニタ部は、印刷機の定常運転状態に応じた制御メニューと印刷機の切替状態に応じた制御メニューの制御内容設定画面を選択表示するのに対し、刊行物１発明のディスプレイ１は、制御メニューを選択表示するものの、定常運転状態と切替状態に応じた制御メニューを選択表示するものではない点。
イ．本件発明のモニタ部は、切替時の制御内容設定画面では各装置の作動状況及び作動時間を表示するのに対し、刊行物１発明のディスプレイ１は、そのような構成を有していない点。
ウ．本件発明は、各制御メニューで選択された所望の各種自動化装置を定常運転状態時又は切替状態時にそれぞれシーケンシャル制御するのに対し、刊行物１発明では、その点が明確でない点。
　
　そこで、刊行物２乃至５の記載事項をふまえて、上記相違点について検討する。
　
　刊行物２には、第一画像を表示させて、印刷機の運転に必要な設定を行い、第二画像を表示させて、印刷見当の修正操作を行う構成、印刷機の運転が開始すると、第一画像、第二画像を書き換えて現時点の実績データを表す構成が記載されている。
　刊行物３には、運転準備での設定項目を外部の入力ユニットから入力するために外部接続用のデータ線を接続した構成が記載されている。
　刊行物４には、刷版印刷が完了してから次の刷版印刷までに、必要とする作業段階のタイミングについて記載されている。
　刊行物５には、印刷機運転各段階における動作をシーケンス制御することについて記載されている。
　
　相違点アについて
　刊行物１発明が、異なった制御メニューを選択表示するものであり、刊行物２に記載された発明においても、印刷機の運転及び印刷見当の修正操作という異なった制御メニューを選択表示することから、印刷機の定常運転状態に応じた制御メニューと印刷機の切替状態に応じた制御メニューの制御内容設定画面を選択表示する程度の構成は、当業者が必要に応じて決めるべき設計的事項に過ぎない。
　
　相違点イについて
　刊行物２乃至５のいずれにも、相違点イに係る構成については、記載も示唆もされていない。
　敷衍すると、刊行物２に記載された発明は、第一画像、第二画像を書き換えて現時点の実績データを表すものであるが、切替時の状況を表示するものではない。そして、相違点アについて検討したように、印刷機の定常運転状態に応じた制御メニューと印刷機の切替状態に応じた制御メニューの制御内容設定画面を選択表示する程度の構成は、当業者が必要に応じて決めるべき設計的事項に過ぎないとしても、刊行物１乃至２に記載された発明からでは、モニタ部が、切替時の制御内容設定画面では各装置の作動状況及び作動時間を表示するという構成については容易に発明することができたものとはいえない。
　また、刊行物３乃至５には、制御内容設定画面については、相違点イに係る構成について何も記載されていない。
　
　相違点ウについて
　刊行物４、５の記載から、刊行物１記載の発明において、各制御メニューで選択された所望の各種自動化装置を定常運転状態時又は切替状態時にそれぞれシーケンシャル制御する程度のことは容易に想到しうる程度のものに過ぎない。
　
　上記のとおりであるから、上記刊行物１乃至５のいずれにも、本件発明の構成要件である、切替時の制御内容設定画面では各装置の作動状況及び作動時間を表示するモニタ部を有する点について、記載も示唆もされてなく、かつ当該技術分野において、自明な技術的事項でもなく、上記各刊行物に記載された発明を相互に適用しても、本件請求項１に係る発明に到達することができたとは認められない。
　そして、本件発明は、切替時の制御内容設定画面では各装置の作動状況及び作動時間を表示するモニタ部を有する点により、「オペレータは各装置の動作時間を一目で知ることができ、オペレータに装置作動状況の詳細を知らせる事もできる。」（訂正明細書段落【００４１】参照。）という上記刊行物１乃至５に記載されたものから当業者が予測できない顕著な作用効果を奏するものである。
　
　したがって、本件請求項１に係る発明は、上記刊行物１乃至５に記載のものから容易に発明をすることができたものとはいえない。
　
（４）むすび
　以上のとおりであるから、特許異議の申立の理由及び証拠によっては、本件請求項１に係る発明についての特許を取り消すことはできない。
　また、他に本件請求項１に係る発明についての特許を取り消すべき理由を発見しない。
　したがって、本件請求項１に係る発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年１１月７日（２００１．１１．７）
【訂正の要旨】
訂正の要旨
ａ．訂正事項１
　特許請求の範囲の請求項１の記載について、
　「各種自動化装置と、各種自動化装置を制御するコントローラとを備えたオフセット枚葉印刷機において、コントローラは、印刷機の定常運転状態に応じた制御メニューと印刷機の切替状態に応じた制御メニューの制御内容設定画面を選択表示するモニタ部を有し、モニタ部に表示される各制御メニューの制御内容設定画面上から選択された各種自動化装置の選択結果を制御内容として設定する制御内容設定部を有し、各制御メニューで選択された所望の各種自動化装置を定常運転状態時又は切替状態時にそれぞれシーケンシャル制御することを特徴とするオフセット枚葉印刷機。」とあるのを、「各種自動化装置と、各種自動化装置を制御するコントローラとを備えたオフセット枚葉印刷機において、コントローラは、印刷機の定常運転状態に応じた制御メニューと印刷機の切替状態に応じた制御メニューの制御内容設定画面を選択表示すると共に切替時の制御内容設定画面では各装置の作動状況及び作動時間を表示するモニタ部を有し、モニタ部に表示される各制御メニューの制御内容設定画面上から選択された各種自動化装置の選択結果を制御内容として設定する制御内容設定部を有し、各制御メニューで選択された所望の各種自動化装置を定常運転状態時又は切替状態時にそれぞれシーケンシャル制御することを特徴とするオフセット枚葉印刷機。」と訂正する。
ｂ．訂正事項２
　明細書の段落【０００５】の記載について、「【課題を解決するための手段】本発明は、各種自動化装置と、各種自動化装置を制御するコントローラとを備えたオフセット枚葉印刷機において、コントローラ（２１）は、印刷機の定常運転状態に応じた制御メニューと印刷機の切替状態に応じた制御メニューの制御内容設定画面を選択表示するモニタ部（４６）を有し、モニタ部（４６）に表示される各制御メニューの制御内容設定画面上から選択された各種自動化装置の選択結果を制御内容として設定する制御内容設定部（４２）を有し、各制御メニューで選択された所望の各種自動化装置を定常運転状態時又は切替状態時にそれぞれシーケンシャル制御するオフセット枚葉印刷機を採用する。」とあるのを、「【課題を解決するための手段】本発明は、各種自動化装置と、各種自動化装置を制御するコントローラとを備えたオフセット枚葉印刷機において、コントローラ（２１）は、印刷機の定常運転状態に応じた制御メニューと印刷機の切替状態に応じた制御メニューの制御内容設定画面を選択表示すると共に切替時の制御内容設定画面では各装置の作動状況及び作動時間を表示するモニタ部（４６）を有し、モニタ部（４６）に表示される各制御メニューの制御内容設定画面上から選択された各種自動化装置の選択結果を制御内容として設定する制御内容設定部（４２）を有し、各制御メニューで選択された所望の各種自動化装置を定常運転状態時又は切替状態時にそれぞれシーケンシャル制御するオフセット枚葉印刷機を採用する。」と訂正する。
ｃ．訂正事項３
　明細書の段落【００４４】の記載について、「【発明の効果】本発明によれば、各種自動化装置と、各種自動化装置を制御するコントローラとを備えたオフセット枚葉印刷機において、コントローラは、印刷機の定常運転状態に応じた制御メニューと印刷機の切替状態に応じた制御メニューの制御内容設定画面を選択表示するモニタ部を有し、モニタ部に表示される各制御メニューの制御内容設定画面上から選択された各種自動化装置の選択結果を制御内容として設定する制御内容設定部を有し、各制御メニューで選択された所望の各種自動化装置を定常運転状態時又は切替状態時にそれぞれシーケンシャル制御することから、各自動化機器の操作盤間をオペレータが走りまわる必要が無くなり省力化が図れるのは勿論のこと、印刷機が定常運転状態にあるか切替状態にあるかに応じて自動化機器を作動させることができ、印刷効率を高めることができる。」とあるのを、「【発明の効果】本発明によれば、各種自動化装置と、各種自動化装置を制御するコントローラとを備えたオフセット枚葉印刷機において、コントローラは、印刷機の定常運転状態に応じた制御メニューと印刷機の切替状態に応じた制御メニューの制御内容設定画面を選択表示すると共に切替時の制御内容設定画面では各装置の作動状況及び作動時間を表示するモニタ部を有し、モニタ部に表示される各制御メニューの制御内容設定画面上から選択された各種自動化装置の選択結果を制御内容として設定する制御内容設定部を有し、各制御メニューで選択された所望の各種自動化装置を定常運転状態時又は切替状態時にそれぞれシーケンシャル制御することから、各自動化機器の操作盤間をオペレータが走りまわる必要が無くなり省力化が図れるのは勿論のこと、印刷機が定常運転状態にあるか切替状態にあるかに応じて自動化機器を作動させることができ、印刷効率を高めることができる。」と訂正する。
ｄ．訂正事項４
　明細書の段落【００４１】の記載について、「切替時の制御状況のモニタ表示内容は、図８において、各装置作動中にはＣＲＴ画面上に棒グラフ６０が示され時間の経過とともに伸びていく、これによりオペレータは各装置の動作時間を一目で知ることができるばかりでなく、装置異常の際には棒グラフ７０は異常色（例えば赤）を示しオペレータに知らせる事もできる。また同様に動作終了、異常発生等により動作未完了の場合も棒グラフの色を替える等してオペレータに装置作動状況の詳細を知らせる事もできるようになっている。自動運転中の印刷機の状態及びコントローラの制御状況は図２１に示すように表示される。このＣＲＴ上の画面は図８あるいは図１０中のファンクションキー３２の自動運転モニタキー（３２Ｃ）を押すと常時ＣＲＴ画面上に表示される。」とあるのを、「切替時の制御状況のモニタ表示内容は、図８において、各装置作動中にはＣＲＴ画面上に棒グラフ７０が示され時間の経過とともに伸びていく。これによりオペレータは各装置の動作時間を一目で知ることができるばかりでなく、装置異常の際には棒グラフ７０は異常色（例えば赤）を示しオペレータに知らせる事もできる。また同様に動作終了、異常発生等により動作未完了の場合も棒グラフの色を替える等してオペレータに装置作動状況の詳細を知らせる事もできるようになっている。自動運転中の印刷機の状態及びコントローラの制御状況は図２１に示すように表示される。このＣＲＴ上の画面は図８あるいは図１０中のファンクションキー３２の自動運転モニタキー（３２Ｃ）を押すと常時ＣＲＴ画面上に表示される。」と訂正する。
（５４）【発明の名称】
オフセット枚葉印刷機
（５７）【特許請求の範囲】
　【請求項１】各種自動化装置と、各種自動化装置を制御するコントローラとを備えたオフセット枚葉印刷機において、コントローラは、印刷機の定常運転状態に応じた制御メニューと印刷機の切替状態に応じた制御メニューの制御内容設定画面を選択表示する
と共に切替時の制御内容設定画面では各装置の作動状況及び作動時間を表示する
【発明の詳細な説明】
　【０００１】
　【産業上の利用分野】
　本発明は、オフセット枚葉印刷機に関する。
　【０００２】
　【従来の技術】
　オフセット枚葉印刷機には、各種自動化装置が装備され、オペレーティングの省力化が図られつつある。それら各種自動化装置としては、給紙部の自動積替装置、白紙搬入装置、紙移動装置および用紙高さ位置制御装置、見当部の用紙除去装置、並びに排紙部の排紙装置、刷本排出装置等が存在する。これら自動化装置を使用する場合、オペレータは、適宜印刷機本体の運転状態、装置動作開始条件の確認、動作判断等を考慮しつつ各装置を操作盤によって操作するようにしていた。
　【０００３】
　【発明が解決しようとする課題】
　つまり、オペレータは、各自動化装置を使用するにあたり、他装置の動作状況を確認しながら個々の操作盤を走りまわるわずらわしさがある為、全ての自動化装置をトータルで監視し、印刷条件に応じてシーケンシャルに一括で動作制御するコントローラの必要性がでてきた。
　【０００４】
　本発明は、これらの点に鑑み、各自動化装置の動作状況を監視し、更に適宜各装置をシーケンシャルに動作させ、オペレータが操作盤間を走りまわる作業が無くなり、省力化が図れるようなオフセット枚葉印刷機を提供することを目的とする。
　【０００５】
　【課題を解決するための手段】
　本発明は、各種自動化装置と、各種自動化装置を制御するコントローラとを備えたオフセット枚葉印刷機において、コントローラ（２１）は、印刷機の定常運転状態に応じた制御メニューと印刷機の切替状態に応じた制御メニューの制御内容設定画面を選択表示する
と共に切替時の制御内容設定画面では各装置の作動状況及び作動時間を表示する
　【０００６】
　【作用】
　オフセット枚葉印刷機の各種自動化装置の制御内容を制御内容設定部を介して設定し、この設定内容に応じてプログラマブル制御装置が各種自動化装置をシーケンシャル制御する。一方、各種自動化装置の動作状況をモニタ部でモニタし、その動作状況を出力する。
　【０００７】
　【実施例】
　以下、図面を参照して本発明の一実施例について説明する。
　【０００８】
　図１は、オフセット枚葉印刷機の概略構成図であり、オフセット枚葉印刷機１は給紙部２と、印刷部３と、排紙部４とからなる。前記給紙部２は、図２に示すように、枚葉紙を搬入する搬入装置５と、搬入された白紙の位置を規制する白紙位置制御装置６と、供給された枚葉紙を自動的に積替える自動積替装置７とを有している。
　【０００９】
　また、前記印刷部３は、図３に示すように圧胴８と、これと係合する中間胴９と、圧胴に協働するブランケット胴１０と、このブランケット胴１０に係合する版胴１１と、この版胴１１にインクを供給するインキング装置１２と、前記圧胴８を洗浄する圧胴洗浄装置１３等からなっている。前記排紙部４は、図４に示すように、印刷終了後の枚葉紙の下に板を入れるための板入れガイド装置１４と、デリバリ部１５と、前記供給された板間を保持するために板支柱１８を供給するための板支柱供給装置１７と、各板間に積層された刷本を排出するための刷本自動排出装置１６等からなっている。これら各部分は図５に示すような刷本の出来上りを検査するための色見台２０に近接して設けられたコントローラ２１によって集中的にコントロールされる。
　【００１０】
　前記コントローラ２１は、ケース３０を有し、このケース３０の上部前面にＣＲＴ３１が設けられ、このＣＲＴ３１の前方には、ファンクションキー３２、テンキー３３、カーソルキー３４および操作スイッチ３５が設けられている。
　【００１１】
　前記ケース３０内には図７に示すような集中制御部４０が設けられ、この集中制御部４０は各種機器のコントロールを行なうシーケンサ４１を有し、このシーケンサ４１はシーケンサ制御内容設定部４２によってコントロールされ、この制御内容設定部４２には所望の設定がテンキー３３およびカーソルキー３４によって行なわれる。また、前記シーケンサ４１、制御内容設定部４２には電源４３が接続され、シーケンサ４１は、操作スイッチ３５によって操作される。
　【００１２】
　また、シーケンサの制御状態は監視部４４によって監視され、その状態はプリンタ出力部４５から出力され、前記設定部４２と監視部４４とがモニタ及び設定部４６を構成している。
　【００１３】
　なお、シーケンサ４１によって、印刷機本体（印刷部３）、給紙部２の自動積替装置７、白紙搬入装置５、紙移動装置５０、用紙高さ位置制御装置５１、用紙除去装置５２、前記排紙部４の排紙装置１５および刷本自動排出装置１６等がコントロールされる。
　【００１４】
　また、ここには図示されていないが、これら自動化装置と並行して最近のオフセット枚葉機によって備えられている版面へのインキの供給量を自動設定する装置や印刷用紙にインキを転移させる胴が紙へ与える印刷圧力を初期セットする装置（印圧プリセット）や、印刷用紙のサイズ変更に応じ給紙部または排紙部の用紙サイズに対応し移動する部分を自動的に初期セットする装置や、印刷部の圧胴やブラン胴を自動洗浄する装置などもコントローラ４０により制御可能である。
　【００１５】
　次に図７を用い集中制御部内構成機器の機能を説明する。
　【００１６】
　まずシーケンサ４１は同図に示す如く、印刷機及び各種自動化装置制御部に信号線１を介し接続されており、印刷機及び各自動化装置の制御部はシーケンサ４１に印刷機及び各自動化装置の作動状態等の信号を出力する。またシーケンサ４１は印刷機及び各自動化装置の制御部に対し、印刷機及び各自動化装置の作動状態に応じそれらに動作開始等の信号を出力する。このような通信制御を行うことで印刷機及び各自動化装置は後述する各種制御メニューに応じ、また後述する制御フローに従いシーケンサ４１によりシーケンシャルに制御される。
　【００１７】
　また、本実施例では印刷機及び各自動化装置を制御する手段としてシーケンサ（プログラマブルコントローラ、ＰＣ）を用いたが、この代りとしてパーソナルコンピューター等を用い制御してもよい。
　【００１８】
　さらに、このようなシーケンサ４１を用い印刷機及び各自動化装置を制御した場合、普通、これらの制御フローは一通りではなく、例えば印刷機が次品目の印刷に備え、印刷準備にある状態や印刷機が印刷を行なっている状態等、複数の制御フローが考えられる。またこれら複数の制御フローの１つをとっても制御内容は１通りではなく、例えば、印刷機が印刷を行なっている際、排紙部において前記、板入れガイド装置１４を使用する場合や使用しない場合など制御内容は多岐にわたる。このようなことを鑑みるにシーケンサ４１の制御内容を設定する必要性が生じてくる。本実施例ではシーケンサ制御内容設定手段として後述する各制御メニューでの設定画面にて、前記テンキー３３、カーソルキー３４を用い設定画面３１に設定内容を表示させ、その内容をシーケンサ１４に送信する手段としてシーケンサ制御内容設定部４２なる機器を用いるが、この代りとして単にＯＮ／ＯＦＦスイッチ、切替スイッチ等を組合せて設定内容をシーケンサ４１に指示してもよいし、又数値入力などにおいてはデジタルスイッチなどを使用してシーケンサに指示してもよい。
　【００１９】
　このような手段を用いる事により、後述する各制御メニュー中の各制御内容に応じ、事前に内容設定する事でシーケンサ４１はそれに応じた制御フローに従い印刷機及び各自動化装置をシーケンシャルにコントロールする事が可能となる。さらに本実施例ではシーケンサ４１のコントロール状況をＣＲＴ画面上にモニタリングし、後述するグラフィック画面として表示すべく、その手段としてシーケンサ制御状態監視部４４を用いシーケンサによる印刷機及び各自動化装置の作動状況が一目でわかるようにした。本実施例ではシーケンサ１４のコントロール状況をＣＲＴ画面に表示可能なシーケンサ制御状態監視部４４なるものを使用したが、代りに、単に表示ランプ、ブザー、ＬＥＤ等とを組合せ、シーケンサ１４に接続しシーケンサのコントロール状況を表現してもよい。さらに本実施例にて使用しているシーケンサ制御状態監視部４４においては、プリンター出力部４５を操作する事によりＣＲＴ画面３１に表示されたシーケンサ４１のコントロール状況をプリントアウトし記録しておくことができる。このことにより後述する印刷機稼動中の運転実績等を稼動終了後にも知ることができ、本発明を複数の印刷機に適用すれば印刷機の運転実績等を単独、あるいは総合的に監視することもできる。
　【００２０】
　またシーケンサ４１に接続された操作スイッチ３５により後述する各種制御メニューに基づいてコントロールを開始したり、またコントロールや異常が発生した場合など制御を中止したりすることも可能となっている他、各自動化装置の１部のみを作動させることも可能となっている。
　【００２１】
　以上がオフセット枚葉印刷機及びそれに装備される各種自動化装置をトータルで監視し、印刷条件に応じシーケンシャルに集中制御するコントローラの構成であるが、次にこのコントローラを用いた、制御メニューの選択、制御内容の設定、その内容における印刷機及び各自動化装置の動作フロー及びその動作中の制御状況のモニタについて述べる。
　【００２２】
　印刷機の印刷状態には連続して用紙に安定して印刷している状態（定常運転状態）と印刷が終了し次の印刷に備え準備している状態（切替状態）とがあるが、前記構成より成るコントローラもこれに応じ複数の制御メニューをもっている。
　【００２３】
　以下に制御メニューの設定、各メニューにおける制御内容の設定手段を説明する。
　【００２４】
　図６及び図８のファンクションキー３２により定常運転状態の制御内容設定画面及び切替状態の制御内容設定画面を選択する。図８は切替状態の制御内容設定画面であり、図９はこの画面において制御内容を設定する際の操作のフローチャートを示す。また図１０は定常運転状態の制御内容設定画面であり図１１はこの画面において制御内容を設定する際の操作のフローチャートを示す。
　【００２５】
　まず、図８，９を用い切替状態の制御内容設定画面（以下切替内容設定画面と称する）において設定内容及び手順を説明する。オペレータは印刷中（あるいは印刷終了後）に図８のファンクションキー３２の切替内容設定キー３２ａを押すことによりＣＲＴ画面上に切替内容設定画面を呼びだす（Ｓ１０）。切替えられる装置としては、印刷機ブランケット胴上のインキ、紙粉などを自動洗浄する装置であるブランケットウォッシャー、版面上にインキを供給するローラー群を自動洗浄する装置であるインキローラ洗浄装置、圧胴洗浄装置、インキプリセット、印圧プリセット、紙サイズ替えプリセット、自動積替装置および刷本排出装置等である。
　【００２６】
　次に、オペレータは制御内容に応じ使用する装置をカーソルキー３４のキーを用いカーソル６０を移動させ（Ｓ１１，１２）、再びカーソルキー３４のキーを用いＯＮ／ＯＦＦにて選択する。例えば、インキの交換（色替え）をするならインキローラー洗浄装置を使用（ＯＮ）し、用紙サイズ、用紙厚さに変更がある場合には、紙サイズ替プリセット及び印圧プリセットを使用（ＯＮ）すればよい。また印刷予定枚数入力のような数値入力の場合は（Ｓ１４）、カーソル６０を枚数入力覧６１に移動させテンキー３３を用い入力すればよい（Ｓ１５，Ｓ１６）。
　【００２７】
　次に図１０，１１を用い定常運転状態の制御内容設定画面（以下自動運転内容設定画面と呼ぶ。本実施例では印刷機が定常運転時、つまり安定して用紙を印刷しているとき、前記、各種自動化装置を用いコントローラにて制御することにより、ある一定時間自動運転が可能である）において、設定内容及び手順を説明する。オペレータは切替中（あるいは前品目の印刷中）に図１０のファンクションキー３２の自動運転内容設定キー３２ｂを押すことによりＣＲＴ画面上に自動運転内容設定画面を呼び出す（図１１、Ｓ２０）。この設定では、フィーダーとしての白紙積替装置、フィード紙抜取装置があり、ユニットとしての版胴上のゴミを除去するヒッキー除去装置、ブランケットウォッシャーがあり、デリバリ装置としては刷本排出装置、板入れ装置（板の搬送装置と排紙部の板入れガイド装置）、板支柱供給装置、常時印刷物の品質（ヨゴレ等）を監視する装置である品質モニタ、および不良紙あるいは警戒紙あるいは枚数管理を目的として用紙を区別するため紙テープを自動挿入する装置であるテープインサータがある。
　【００２８】
　次にオペレータは制御内容に応じ使用する装置をカーソルキー３４のキーを用いカーソル６０を移動させ（Ｓ２０）、再びカーソルキー３４のキーを用いＯＮ．ＯＦＦにて使用、不使用を選択する（Ｓ２１〜２４）。例えば、自動板入れをする際も、板の間に板支柱を自動供給する形態（段積）、板の間に板支柱を供給せず、直接刷本を積載していく形態（棒積）との２種類とがあるが、これらも前記カーソルを用い選択することも可能であるし、また段積みの際、板と板の間に積載する刷本の枚数もカーソルキーとテンキーを用い前記、切替内容設定画面中の印刷予定枚数の入力と同様の操作で入力可能となっている（Ｓ２５）。
　【００２９】
　また、印刷予定枚数入力のような数値入力の場合はＳ２６〜Ｓ２８に従って前述と同様にして行なわれる。他の装置の使用、不使用の選択及び使用条件の数値入力も同様である。
　【００３０】
　切替時の制御開始方法は、まず、前記切替内容を設定し各自動化装置に不具合がない事を確認する。次にオペレータは印刷終了直後、図８中の操作スイッチ３５のロック解除スイッチ３５ａを押す事により切替開始スイッチのロックを解除する。これはオペレータが誤って切替開始スイッチを押す事を防止する対策である。ロックが解除されたら切替開始スイッチ３５ｂを押す事によりフローに従い各自動化装置はシーケンシャルに本コントローラによりコントロールされる。操作スイッチ３５の種類としては、他に自動運転開始スイッチ３５ｃ、白紙積替スイッチ３５ｄ、フィーダ部不正紙抜取りスイッチ３５ｅ、自動板入れスイッチ３５ｆおよび中止スイッチ３５ｇがある。
　【００３１】
　上記切替開始スイッチが押されると図１２に示すようにほぼ同時に圧胴、ブランケット胴、インキ装置等を洗浄する各種洗浄装置（Ｓ３０）、紙サイズ、印圧、インキ等の各種初期セット（プリセット）装置（Ｓ３１）、板入れ装置（図１２、Ｓ３２）、給排紙部自動化装置（Ｓ３３）が選択条件に応じ順次起動していく。ここで本コントローラは各洗浄装置においては３装置（圧胴、ブランケットインキローラー洗浄）とも洗浄速度（印刷機の回転数）が異なるため各装置の洗浄速度になるように印刷機の回転数を制御し装置の洗浄速度と一致したら順次、各洗浄装置を起動させていく。また、印圧プリセット、インキプリセットのように特に印刷機の状態を制御する必要のないものは他の装置と無関係に起動させればよい。他の紙サイズプリセット、給排紙自動化装置、板入れ装置も本コントローラが印刷機の状態を制御しつつ順次起動させていく。上記説明では、本コントローラがすべての装置を起動させているが、選択によってはもちろん起動させる装置は１つでもそれ以上でもよい。
　【００３２】
　更に、各切替機器の詳細なコントロールは図１３〜図１５に示されている。
　【００３３】
　印刷機自動運転の制御開始は、まず前記自動運転内容設定し、各自動化装置及び印刷機の運転状態に不具合がない事を確認する。次にオペレータは印刷機が安定して印刷を継続している事を確認したら、図１０（あるいは図８も同様）中の操作スイッチ３５のロック解除スイッチ３５ａを押す事により自動運転開始スイッチのロックを解除する。これはオペレータが誤って自動運転開始スイッチを押す事を防止する対策である。ロックが解除されたら自動運転開始スイッチを押すことにより図１３〜図１５に示すフローに従い、各自動化装置及び印刷機は本コントローラによりコントロールされる。
　【００３４】
　図１６は、自動運転内容設定画面で選択された自動化装置及び印刷機の制御フローを示す。コントロール順としては、例えば、板入れ（Ｓ４０）、白紙積替え（Ｓ４１）、フィーダストップ（Ｓ４２）、刷了（Ｓ４３）、ヒッキー定期除去（Ｓ４４）および刷本全数検査（Ｓ４５）の順で行なわれる。まず、印刷機排紙部における自動運転中の本コントローラ制御（Ｓ４０）についてであるが、用紙が所定枚数印刷されたら（印刷機からのカウンター信号によりコントローラが判断する（Ｂ１０）すの子リフト装置を起動させ（Ｂ１１）、この装置が板ガイドに板を受け渡す（Ｂ１２）。コントローラは板ガイド及びすの子リフト装置からの出力信号により板の受け渡しに不具合がない事を確認し印刷機カウンター（Ｂ１０）からの出力信号により板入れ枚数に達したら板ガイドに板入れ信号を出力する。ここで用紙をＷデリバリ上段に排出し、この間隙をぬって板が挿入される（Ｂ１３）とほぼ同時に用紙の荷くずれを防止すべく紙あばれ防止装置を起動させ（Ｂ１４）、板支柱供給装置に板支柱を供給させる（Ｂ１５）。これらの動作が終了したことをコントローラが判断したら印刷機排紙台を再上昇させ板支柱が新しく挿入された板と接触し板ガイドを解放させ一連の動作を終了する。また板入れをした際、印刷機排紙台が所定量下降するが、このとき排紙台上の印刷用紙が満載ならその後排紙台を下限まで下げ印刷用紙を排出する事もある（Ｂ１６）。さらに前記棒積みをするのであれば板支柱供給装置を不使用として選択しておけばよい。
　【００３５】
　次に印刷機給紙部における自動運転中の本コントローラ制御（Ｓ４１，Ｓ４２）についてであるが、給紙部用紙が無くなったことを検知する検知器（Ｂ２０）により本コントローラはその信号を受けると印刷機を空転させ（Ｂ２１）、給紙部給紙台を下限まで下げる。次に白紙積替え装置（Ｂ２２）を起動させ、あらかじめ準備されている用紙を給紙台上に積替える。これが終了したことを判断したら用紙の左右位置調整装置を起動させ（Ｂ２１）、図示しない用紙所定高さ調整装置により用紙高を初期セットする。またこの白紙積替の間は印刷機は空転しているので並行してブランケット胴洗浄装置も起動させてよい（Ｂ２２）。これらが終了したらコントローラは印刷機を自動的に立上げて再び印刷を開始する（Ｂ２４）。さらに、このとき初めの印刷物は色調が不安定なため損紙として印刷不良紙を排出するＷデリバリ上段へ排出される（Ｂ２５）。
　【００３６】
　また、印刷中に給紙部において給紙不良がおきた場合（Ｂ３０）の制御（Ｓ４２）であるが、このときコントローラはフィード紙抜取装置を起動させ（Ｂ３１）、再び印刷可能な状態となったら印刷を開始させる（Ｂ３２）。このときも初めの印刷物は色調が不安定なため損紙として前記Ｗデリバリ上段に排出される（Ｂ３３）。
　【００３７】
　上記制御を継続し印刷枚数が所定枚数に達したことをコントローラが印刷機カウンターの信号により判断したら（Ｂ４０）、印刷機を停止させ印刷終了となる（Ｂ４１）。
　【００３８】
　さらに自動運転中の印刷物の品質を保障する手段として（Ｓ４４，Ｓ４５）、所定枚数印刷する毎に（Ｂ５０）版面上のゴミを自動除去したり（Ｂ５１）、検査装置によって全数検査し、不良紙を損紙同様（Ｂ６０）、Ｗデリバリ上段に排出することもできる（Ｂ６１）。
　【００３９】
　またコントローラは印刷機本体及び各種自動化装置の異常を監視し異常の内容によってはすみやかに印刷中止するようになっており定常運転中の安全対策も兼ねている。
　【００４０】
　なお、コントローラ自動運転の詳細は図１７〜図２０に示されている。また本実施例によれば、切替時あるいはは自動運転時のコントローラの制御内容をモニタ表示したり印刷機の運転履歴をモニタ表示することも可能となっている。
　【００４１】
　切替時の制御状況のモニタ表示内容は、図８において、各装置作動中にはＣＲＴ画面上に棒グラフ
７０
いく。
　【００４２】
　運転履歴覧８０の棒グラフ９０は自動運転開始後、時間に比例して伸びていき棒グラフ９１は印刷機の稼動時間を示す。すなわち、停止中は棒グラフは表示されず、また棒グラフ表示箇所もＷデリバリ上下段排出状態に応じ色わけされている。棒グラフ９１の下の覧９２には印刷機の停止原因やコントローラが起動させた装置がわかるようになっている。これらの履歴表示機能により自動運転中、オペレータは印刷機をある所定時間、監視する必要がなくなり無人運転化も可能となっている。
　【００４３】
　また、印刷実績の覧８１には項目９５をみる事で一目で正紙枚数がわかり、従来のように損紙を出すたび印刷機カウンターをＯＦＦにする煩しさもなくなる。また、警告覧８２には、各装置の状況が表示される。
　【００４４】
　【発明の効果】
　本発明によれば、各種自動化装置と、各種自動化装置を制御するコントローラとを備えたオフセット枚葉印刷機において、コントローラは、印刷機の定常運転状態に応じた制御メニューと印刷機の切替状態に応じた制御メニューの制御内容設定画面を選択表示する
と共に切替時の制御内容設定画面では各装置の作動状況及び作動時間を表示する
【図面の簡単な説明】
　【図１】
　オフセット枚葉印刷機の概略構成図である。
　【図２】
　給紙部の斜視図である。
　【図３】
　印刷部の概略構成図である。
　【図４】
　排出部の斜視図である。
　【図５】
　本コントローラ設置図である。
　【図６】
　本コントローラの斜視図である。
　【図７】
　コントローラ機器構成図である。
　【図８】
　切替内容設定画面である。
　【図９】
　切替内容設定操作フローである。
　【図１０】
　自動運転内容設定画面である。
　【図１１】
　自動運転内容設定操作フローである。
　【図１２】
　切替時、コントローラ制御フローである。
　【図１３】
　切替時コントローラ制御詳細フローの一部である。
　【図１４】
　切替時コントローラ制御詳細フローの一部である。
　【図１５】
　切替時コントローラ制御詳細フローの一部である。
　【図１６】
　自動運転時、コントローラ制御フローである。
　【図１７】
　自動運転時、コントローラ制御フローの一部である。
　【図１８】
　自動運転時、コントローラ制御フローの一部である。
　【図１９】
　自動運転時、コントローラ制御フローの一部である。
　【図２０】
　自動運転時、コントローラ制御フローの一部である。
　【図２１】
　自動運転監視モニタ画面である。
　【符号の説明】
　１…オフセット枚葉印刷機
　２…給紙部
　３…印刷部
　４…排紙部
　５…搬入装置
　６…白紙位置制御装置
　７…自動積替装置
　３５…操作スイッチ
　４１…シーケンサ
　４２…シーケンサ制御内容設定部